(57)【要約】      （修正有）【課題】平ワッシャやスプリングワッシャを用いて、組込ネジの締め忘れや締め付け不良を、目視により簡単容易にかつ迅速に確認することができるようにする組込ネジを提供する。【解決手段】頭部１１とねじ軸部とからなるネジ体１の頭部１１とねじ軸部との間に形成される首部にスプリングワッシャー２と平ワッシャー３を組み込んで組込ネジＡを形成する。さらに、頭部１１の外面と平ワッシャー３の外周部に、常時はネジ体１の軸心方向と平行状に延び、かつ伸縮性を有するビニールテープ４を張設する。ネジ体１の本締めにより、ネジ体１が平ワッシャー４に対し所定角度回転したとき、頭部１１の回転によりビニールテープ４が捻じられて軸心方向に対し斜めに伸長され、目視により締め込み確認が行える。【選択図】図２
0003171320.tif 000002
【実用新案登録請求の範囲】
【請求項１】
頭部とねじ軸部とからなるネジ体の頭部とねじ軸部との間に形成される首部にワッシャーを組み込んだ組込ネジにおいて、頭部の外面とワッシャーの外周部に、常時はネジ体の軸心方向と平行状に延び、かつ伸縮性を有する紐状体を張設し、ネジ体の本締めにより、ネジ体が平ワッシャーに対し所定角度回転したとき、頭部の回転により紐状体が捻じられて軸心方向に対し斜めに伸長されるよう構成して目視により締め込み確認が行えるようにしたことを特徴とする組込ネジ。
【請求項２】
頭部側に配置されるスプリングワッシャーとねじ軸部側に配置される平ワッシャーが組み込まれており、紐状体が頭部の外面と平ワッシャーの外周部に張設されていることを特徴とする請求項１記載の組込ネジ。
【請求項３】
紐状体として、ビニールテープを用い、一端部を頭部の外面に他端部をワッシャーの外周部に貼着したことを特徴とする請求項１又は２の組込ネジ。
【請求項４】
紐状体として、帯状のゴムを用い、その一端部を頭部の外面に他端部をワッシャーの外周部に接着したことを特徴とする請求項１又は２記載の組込ネジ。
【考案の詳細な説明】
【技術分野】
【０００１】  本考案は、頭部とねじ軸部とからなるネジ体の頭部とねじ軸部との間に形成される首部に平ワッシャーやスプリングワッシャーの一方或いはこれらの両方を組み込んだ組込ネジに関する。
【背景技術】
【０００２】  従来、この種の組込ネジとしては、たとえば頭部とねじ軸部とからなるネジ体の頭部とねじ軸部との間に形成される首部にスプリングワッシャーと平ワッシャーを組み込んだ構成のものが知られている。【０００３】  そして、使用時には、たとえば、組込ネジのねじ軸部に被締結部材を挿通した状態のもとで組込ネジを取付台のねじ孔に、被締結部材と平ワッシャーが取付台の前面に軽く当接するまでねじ込んで仮止めし、その後、組込ネジをさらに取付台に所定角度ねじ込んで本締めを行い、頭部でスプリングワッシャーを圧縮しながら平ワッシャーと被締結部材を取付台側に押圧させて所定の締め付け力で締結するようにしている。なお、被締結部材は組込ネジの仮止め途中において平ワッシャーと取付台との間に介装するようにしてもよい。
【考案の概要】
【考案が解決しようとする課題】
【０００４】  ところで、上記した構造の組込ネジを、たとえば取付台に多数取り付けたような場合、組込ネジが取付台に確実に本締めされているかどうかを確認しようした際、直ちにその締め付け具合を確認することが困難であり、そのため、わざわざ組込ネジの締め具合を一つ一つ確認する必要があり、煩雑で面倒な確認作業を要する問題があった。【０００５】  特に、大型の配電盤の電気コネクター端子取付台へのリード線端子の組み込みに組込ネジを用いる場合にあっては、数千個のリード線端子が数千個の組込ネジにて締結されており、その際、組込ネジの閉め忘れや締め付け不良などで端子不良を１、２個発生させても高価な設備が停止するといった大きな問題を有していた。【０００６】  そこで、本考案は、組込ネジの締め忘れや締め付け不良を、目視により簡単容易にかつ迅速に確認することができる組込ネジの提供を課題とする。
【課題を解決するための手段】
【０００７】  上記した問題を解決するため、本願の請求項１記載の考案は、頭部とねじ軸部とからなるネジ体の頭部とねじ軸部との間に形成される首部にワッシャーを組み込んだ組込ネジにおいて、頭部の外面とワッシャーの外周部に、常時はネジ体の軸心方向と平行状に延び、かつ伸縮性を有する紐状体を張設し、ネジ体の本締めにより、ネジ体が平ワッシャーに対し所定角度回転したとき、頭部の回転により紐状体が捻じられて軸心方向に対し斜めに伸長されるよう構成して目視により締め込み確認が行えるようにしたことを特徴とする。【０００８】  本願の請求項２記載の考案は、請求項１記載のワッシャーとして、頭部側に配置されるスプリングワッシャーとねじ軸部側に配置される平ワッシャーが組み込まれており、紐状体が頭部の外面と平ワッシャーの外周部に張設されていることを特徴とする。【０００９】  本願の請求項３記載の考案は、請求項１又は２記載の紐状体として、ビニールテープを用い、一端部を頭部の外面に他端部をワッシャーの外周部に貼着したことを特徴とする。【００１０】  本願の請求項４記載の考案は、請求項１又は２記載の紐状体として、帯状のゴムを用い、その一端部を頭部の外面に他端部をワッシャーの外周部に接着したことを特徴とする。
【考案の効果】
【００１１】  本考案の組込ネジによれば、頭部の外面とワッシャーの外周部に、常時はネジ体の軸心方向と平行状に延び、かつ伸縮性を有する紐状体を張設しているので、ネジ体の本締めにより、ネジ体が平ワッシャーに対し所定角度回転したとき、頭部の回転により紐状体が捻じられて軸心方向に対し斜めに伸長されることになる。この結果、紐状体の捻じれ具合から目視により簡単容易にかつ迅速に締め込みの確認が行える。また、長期間にわたる使用時には組込ネジの緩みの確認も行える。【００１２】  また、ワッシャーとしては、スプリングワッシャーや平ワッシャーであってもよいし、また、頭部側にスプリングワッシャーをねじ軸部側に平ワッシャーを組み込むタイプのものにも適用できる。スプリングワッシャーと平ワッシャーを備える場合、紐状体の一端を頭部の外面にまた他端を平ワッシャーの外周部に張設すればよい。【００１３】  また、紐状体として、ビニールテープを用い、一端部を頭部の外面に他端部をワッシャーの外周部に貼着するようにすれば、簡単容易に取り付けられるし、また、コスト安価に提供できるのでこのましい。【００１４】  さらに、紐状体として、ゴムベルトを用い、一端部を頭部の外面に他端部をワッシャーの外周部に接着するようにすれば、簡単容易に取り付けられると共に伸縮性に優れ、また、コスト安価に提供できるのでこのましい。
【図面の簡単な説明】
【００１５】
【図１】本考案に係る組込ネジの仮止め時の斜視図である。
【図２】同組込ネジの本締め終了後の斜視図である。
【図３】組込ネジの一部切欠側面図である。
【図４】組込ネジの正面図である。
【考案を実施するための形態】
【００１６】  以下本考案の実施の形態を図に基づいて説明する。
【００１７】  図１〜図４は、本考案に係る組込ネジを示し、組込ネジＡは、図３に示すように＋字穴（マイナス穴であってもよい。）を有する頭部１１と頭部１１に首部１２を介して連設されるねじ軸部１３とからなるネジ体１と、上記首部１２に組み込まれるスプリングワッシャー２と平ワッシャー３とを備えた構成となっている。
【００１８】  そして、以上のように構成する組込ネジＡの頭部１１の外面と平ワッシャー３の外周部に、図１及び図３に示すように常時はネジ体１の軸心方向と平行状に延び、かつ伸縮性を有するビニールテープ（紐状体）４を貼着により張設し、ネジ体１を平ワッシャー３に対し所定角度回転させて本締めするとき、頭部１１の回転によりビニールテープ４が捻じられて軸心方向に対し斜めに伸長されるよう構成して目視により締め込み確認が行えるようにしたのである。
また、図１及び図２において符号５は組込ネジＡ用のネジ孔（図示せず）を備えた取付台である。
【００１９】  次に、上記した組込ネジ１の作用について説明する。
【００２０】  使用時には、まず、組込ネジＡを取付台４に図１に示すように仮止め状態までねじ込む。このとき、ビニールテープ（紐状体）４はネジ体１の軸心方向と平行状に保たれている。なお、図１及び図２においては平ワッシャー３と取付台４との間に介装する被締結部材ついては作用の説明上特に必要がないので省略している。
【００２１】  次に、図２に示すようにネジ体１をさらにねじ込んで本締めする。このネジ体１の締め込みにより平ワッシャー３はスプリングワッシャー２を介して取付台側へ押圧され、平ワッシャー３は取付台側と一体化されるのであり、その状態でさらにネジ体１を平ワッシャー３に対し所定角度回転させて本締めする。すると、頭部１１の回転によりビニールテープ４が図２に示すように捻じられて軸心方向に対し斜めに伸長されることになる。この結果、ビニールテープ４の捻じれ具合から目視により簡単容易にかつ迅速に締め込みの確認が行える。
【００２２】  特に、数千個のリード線端子が数千個の組込ネジにて締結される大型の配電盤の電気コネクター端子取付台に上記組込ネジＡを用いた場合、ビニールテープ４の捻じれ具合から目視により簡単容易に締め込みの確認が行え、組込ネジの閉め忘れや締め付け不良による１、２個の端子不良の発生により高価な設備を停止させるといった大きな問題を解決することができる。また、長期間にわたる使用時において組込ネジの緩みの確認も目視により直ちに行うことができる。
【００２３】  上記した実施の形態では、ワッシャーとして、スプリングワッシャー２と平ワッシャー３とを備えたものについて説明したけれども、単に、平ワッシャー３や各種形状のスプリングワッシャーを備えただけのものであってもよい。スプリングワッシャーのみを備える場合、ネジ体１における頭部１１の外面とスプリングワッシャーの外周部に紐状体を張設すればよく、この場合にも、上記した実施の形態と同様の作用効果が得られる。
【００２４】  また、図示す実施の形態では、紐状体として、ビニールテープ４を用いたものについて説明したが、この他たとえば帯状のゴムなどを用いてもよい。その場合、帯状のゴムの一端部を頭部の外面に、他端部をワッシャーの外周部に接着すればよい。
【００２５】  さらに、ビニールテープ４や帯状のゴムには、より一層目視し易くするため視認性のよい色彩のものを用いるのが好ましいし、蛍光色などを適宜着色するようにしてもよい、
【符号の説明】
【００２６】  Ａ        組込ネジ
１        ネジ体
２        スプリングワッシャー
３        平ワッシャー
４        ビニールテープ
５        取付台
【図１】
0003171320.tif 000003
【図２】
0003171320.tif 000004
【図３】
0003171320.tif 000005
【図４】
0003171320.tif 000006